(57)【特許請求の範囲】
【請求項１】
パチンコ島台側に設けられた玉補給用樋と、前記玉補給用樋から所定量のパチンコ玉を分離する玉補給分離器と、前記玉補給分離器に分離されたパチンコ玉を必要な数だけカウントして払い出す計数払出機とを備えてなる、パチンコ機本体外に設けられたパチンコ玉供給機構から、パチンコ機の上皿への払出が必要な時である、玉貸機から玉貸請求信号が発せられた時または遊技中にパチンコ玉が入賞口に入賞した時に、前記計数払出機でカウントされて前記上皿への払出に必要な数だけ供給されるパチンコ玉を、前記上皿へと払い出すパチンコ機において、
前記上皿への払出に必要なパチンコ玉とは別に、前記パチンコ玉供給機構から前記上皿への払出には利用しないパチンコ玉の供給を受けて、供給されたパチンコ玉の重量により、パチンコ機本体にかかる荷重のバランスを変化させるバランス変更手段を備えたことを特徴とするパチンコ機。
【請求項２】
請求項１記載のパチンコ機において、
前記バランス変更手段が、
パチンコ機本体に取り付けられ、内部に所定数量のパチンコ玉を貯留可能なタンクと、
前記パチンコ玉供給機構から所定数量のパチンコ玉を前記タンクへと導入する導入手段と、
前記タンク内のパチンコ玉を当該タンク外へと放出する放出手段と、
前記導入手段及び前記放出手段を作動させて前記タンク内のパチンコ玉の貯留量を調整する貯留量調整手段とから構成されることを特徴とするパチンコ機。
【請求項３】
パチンコ島台側に設けられた玉補給用樋と、前記玉補給用樋から所定量のパチンコ玉を分離する玉補給分離器と、前記玉補給分離器に分離されたパチンコ玉を必要な数だけカウントして払い出す計数払出機とを備えてなる、パチンコ機本体外に設けられたパチンコ玉供給機構から、パチンコ機の上皿への払出が必要な時である、玉貸機から玉貸請求信号が発せられた時または遊技中にパチンコ玉が入賞口に入賞した時に、前記計数払出機でカウントされて前記上皿への払出に必要な数だけ供給されるパチンコ玉を、前記上皿へと払い出すパチンコ機において、
前記上皿への払出に必要なパチンコ玉とは別に、前記上皿への払出には利用しないパチンコ玉をパチンコ機外からパチンコ機内へ導入することによりパチンコ機上部を重くし、前記導入したパチンコ玉をパチンコ機外へ放出することによりパチンコ機上部を軽くし、その重量バランスの変化によって、パチンコ機の設置状態に変化を与えるバランス変更手段を備えたことを特徴とするパチンコ機。
【発明の詳細な説明】
【０００１】
【産業上の利用分野】
本発明は、パチンコ機に関する。
【０００２】
【従来の技術】
従来、パチンコ遊技中の入賞，玉貸機からの玉貸請求等によってパチンコ玉の払出が必要となった際に、パチンコ機本体の外部に設けられたパチンコ玉払出装置から払出に必要な数だけパチンコ玉の供給を受けてパチンコ玉の払出を行うパチンコ機が提案されている。この種のパチンコ機では、払出用のパチンコ玉を貯留するタンクや計数しながら払出を行う計数払出機をパチンコ機に内蔵しなくても良いため、パチンコ機の取替作業時等における払出機構の損傷などを防止でき、払出機構自体も簡素化されて故障原因が少なくなり、また、パチンコ機の内部機構の簡素化によってコストダウンも図れるといった利点があった。
【０００３】
【発明が解決しようとする課題】
しかし、パチンコ玉払出装置をパチンコ機本体の外部に設けたことで、以下に述べるような問題が新たに生じてきた。
パチンコ玉払出装置を内蔵したパチンコ機では、通説として、払出用のパチンコ玉が貯留されている量の多少によって、パチンコ機にかかる荷重が変化してパチンコ機に微妙な傾きが生じ、出玉が良くなったり悪くなったりすると言われている。また、この通説に対しては遊技者それぞれに思惑があり、パチンコ機内部の貯留タンクにパチンコ玉が補給される音が聴こえると、大当りに期待したり、あるいは玉の打ち方を変えてみたりと、それぞれにパチンコ機特有の楽しみ方もしている。
【０００４】
ところが、パチンコ玉払出装置を外部に設けたパチンコ機では、パチンコ機にかかる荷重が変化しなくなる上に、パチンコ玉を補給する音なども発生しなくなってしまう。このため、善し悪しに波の無い単調な出玉状況となる恐れがあり、また、遊技者の心理としても出玉状況の変化が期待できなくなり、従来のパチンコ機特有の楽しみが薄れてしまうという問題があった。
【０００５】
そこで本発明は、パチンコ玉払出装置を外部に設けても、出玉状況に変動があり、パチンコ機特有の楽しみが失われないパチンコ機を提供することを目的とする。
【０００６】
【課題を解決するための手段及び作用】
上述の目的を達成するため、本発明は、パチンコ島台側に設けられた玉補給用樋と、前記玉補給用樋から所定量のパチンコ玉を分離する玉補給分離器と、前記玉補給分離器に分離されたパチンコ玉を必要な数だけカウントして払い出す計数払出機とを備えてなる、パチンコ機本体外に設けられたパチンコ玉供給機構から、パチンコ機の上皿への払出が必要な時である、玉貸機から玉貸請求信号が発せられた時または遊技中にパチンコ玉が入賞口に入賞した時に、前記計数払出機でカウントされて前記上皿への払出に必要な数だけ供給されるパチンコ玉を、前記上皿へと払い出すパチンコ機において、
前記上皿への払出に必要なパチンコ玉とは別に、前記パチンコ玉供給機構から前記上皿への払出には利用しないパチンコ玉の供給を受けて、供給されたパチンコ玉の重量により、パチンコ機本体にかかる荷重のバランスを変化させるバランス変更手段を備えたことを特徴とする。
【０００７】
本発明のパチンコ機によれば、パチンコ機本体内には、パチンコ機の上皿への払出に利用するパチンコ玉は貯留されないが、バランス変更手段を備えているので、上皿への払出に必要なパチンコ玉とは別に、パチンコ玉供給機構から上皿への払出には利用しないパチンコ玉の供給を受けて、供給されたパチンコ玉の重量により、パチンコ機本体にかかる荷重のバランスは変化させることができる。したがって、例えば、パチンコ機の下部よりも上部に大きな荷重をかければ、従来のパチンコ機において貯留タンク内に多量のパチンコ玉を補給した時の重量バランスと同じ状況が作り出される。また、上部の荷重を減らせば、従来のパチンコ機において貯留タンク内のパチンコ玉を消費した時の重量バランスと同じ状況が作り出される。この結果、パチンコ機に微妙な傾きが生じるなどして、出玉状況に変化を与える。
【００１０】
なお、本発明のパチンコ機のより具体的な構成としては、請求項２に記載の通り、前記バランス変更手段が、
パチンコ機本体に取り付けられ、内部に所定数量のパチンコ玉を貯留可能なタンクと、
前記パチンコ玉供給機構から所定数量のパチンコ玉を前記タンクへと導入する導入手段と、
前記タンク内のパチンコ玉を当該タンク外へと放出する放出手段と、
前記導入手段及び前記放出手段を作動させて前記タンク内のパチンコ玉の貯留量を調整する貯留量調整手段とから構成されると良い。
【００１１】
この請求項２記載のパチンコ機によれば、パチンコ機本体内には、パチンコ機の上皿への払出に利用するパチンコ玉は貯留されないが、パチンコ機本体内にバランス変更専用にパチンコ玉が貯留される。
ここで貯留されるパチンコ玉の量は、貯留量調整手段によって適宜調整され、例えば、遊技開始から一定時間が経過した場合、出玉量とアウト玉量との関係が一定の条件を満たした場合、所定の入賞口にパチンコ玉が入った場合など、種々のタイミングで導入手段及び放出手段を作動させて調整することが考えられる。
【００１２】
このように構成すれば、パチンコ機の上皿への払出に利用するパチンコ玉をパチンコ機内のタンクに貯留するように構成されているパチンコ機と同じように、タンクにパチンコ玉が補給される音も発生するため、遊技者が出玉状況の変化を期待するなどといったパチンコ機特有の楽しみ方もまったく失われない。
【００１３】
なお、このタンクを設けるに当たっては、パチンコ機本体の上部に配設されていると、パチンコ機の上部が重くなって不安定になるため、下部の重量が変化する場合に比べてパチンコ機が傾きやすく、重量バランスの変化による玉の流れへの影響が顕著に現れることが期待できる。
また、以上説明した本発明のパチンコ機は、請求項３に記載の如き発明として把握することもできる。
すなわち、請求項３に記載のパチンコ機は、パチンコ島台側に設けられた玉補給用樋と、前記玉補給用樋から所定量のパチンコ玉を分離する玉補給分離器と、前記玉補給分離器に分離されたパチンコ玉を必要な数だけカウントして払い出す計数払出機とを備えてなる、パチンコ機本体外に設けられたパチンコ玉供給機構から、パチンコ機の上皿への払出が必要な時である、玉貸機から玉貸請求信号が発せられた時または遊技中にパチンコ玉が入賞口に入賞した時に、前記計数払出機でカウントされて前記上皿への払出に必要な数だけ供給されるパチンコ玉を、前記上皿へと払い出すパチンコ機において、
前記上皿への払出に必要なパチンコ玉とは別に、前記上皿への払出には利用しないパチンコ玉をパチンコ機外からパチンコ機内へ導入することによりパチンコ機上部を重くし、前記導入したパチンコ玉をパチンコ機外へ放出することによりパチンコ機上部を軽くし、その重量バランスの変化によって、パチンコ機の設置状態に変化を与えるバランス変更手段を備えたことを特徴とする。
このようなパチンコ機であれば、パチンコ機外からパチンコ機内へパチンコ玉を導入したり、導入したパチンコ玉をパチンコ機外へ放出したりすることで、パチンコ機上部の重量を変化させ、パチンコ機本体にかかる荷重のバランスは変化させることができる。
【００１４】
【実施例】
次に、本発明の実施例を図面に基づいて説明する。
実施例としてのパチンコ機１は、その外部に、図１に示す通り、パチンコ島台側に設けられた玉補給用樋３と、玉補給用樋３から所定量のパチンコ玉を分離する玉補給分離器５と、玉補給分離器５に分離されたパチンコ玉を必要な数だけカウントして払い出す計数払出機７とからなるパチンコ玉払出装置１０が設けられ、３つのパチンコ玉供給通路１１，１３，１５を介してパチンコ機１にパチンコ玉を供給するよう構成してある。一方、パチンコ機１の内部には、パチンコ機１の上部に配設され、第１のパチンコ玉供給通路１１から供給されるパチンコ玉を貯留する貯留タンク２１と、開状態にすると貯留タンク２１内のパチンコ玉を放出するシャッタ装置２３と、シャッタ装置２３が開いて放出されたパチンコ玉を図示しない回収タンクへと導く回収通路２５とを備え、また、第２，第３のパチンコ玉供給通路１３，１５から供給されるパチンコ玉を受けるホッパー３１と、ホッパー３１からパチンコ機正面側にある図示しない上皿へ導く払出通路３３とを備え、更に、図示しない遊技盤面上の大口入賞口から導かれるパチンコ玉を検知する大口入賞センサ４１と、小口入賞口から導かれるパチンコ玉を検知する小口入賞センサ４３と、アウト玉の数を計数するアウト玉センサ４５とを備えている。
【００１５】
これらの構成のうち、玉補給分離器５は、玉補給用樋３に連通する開口からパチンコ玉を導入すると共に、そのパチンコ玉を内部で３列に整列させて計数払出機７に受け渡している。
計数払出機７は、パチンコ玉が内部を通過する通路を３列分備え、そのうち第１，第２のパチンコ玉供給通路１１，１３に通じる２つの通路については、パチンコ玉を５個ずつ通過させるために、図２（ａ），同図（ｂ）に示す多数個通過機構５０を備え、第３のパチンコ玉供給通路１５に通じる残る１つの通路については、パチンコ玉を１個ずつ通過させるために、図３に示す少数個通過機構７０を備えている。
【００１６】
ここで、多数個通過機構５０は、図２（ａ），同図（ｂ）に示す通り、両端部に爪５１ａ，５１ｂが形成されると共に、支点５１ｃを軸に揺動可能に設けられた通過規制部材５１と、通過規制部材５１の一端に連結されたソレノイド５３とを備え、通過規制部材５１の爪５１ａ，５１ｂの間には、図２（ａ）に示した通り、５個のパチンコ玉が入り込める距離がとられている。この多数個通過機構５０において、ソレノイド５３に通電すると通過規制部材５１が揺動し、図２（ａ）の状態から図２（ｂ）の状態になる。即ち、通過規制部材５１の揺動に伴って、爪５１ａはパチンコ玉同士の間に割り込み、一方、爪５１ｂはパチンコ玉の下から抜け出す。この結果、爪５１ａより下にあった５個のパチンコ玉だけが落下する。そして、ソレノイド５３への通電が止まると、再び通過規制部材５１が揺動し、図２（ａ）の状態に戻る。この結果、新たに爪５１ｂの上にパチンコ玉が流れ込む。このように多数個通過機構５０は、駆動信号１パルスにつき５個のパチンコ玉を通過させる。
【００１７】
一方、少数個通過機構７０は、図３に示す通り、外周にパチンコ玉１つ分の間隔で設けられた複数の歯７１ａを備えるスプロケット７１と、スプロケット７１を所定量ずつ回転させることができる図示しないステッピングモータとを備え、ステッピングモータに１パルスの駆動信号を与えると、スプロケット７１がパチンコ玉１つ分回転して、１つずつパチンコ玉を落下させる。
【００１８】
なお、以降の説明においては、２つある多数個通過機構５０を区別して説明するため、第１のパチンコ玉供給通路１１に対応する方を多数個通過機構５０Ａ，第２のパチンコ玉供給通路１３に対応する方を多数個通過機構５０Ｂという。
このように構成されたパチンコ機１において、計数払出機７は以下に説明する制御部８１によって制御されている。
【００１９】
制御部８１は、周知のＣＰＵ，ＲＯＭ，ＲＡＭ等を中心に構成された論理演算回路で、図４に示す通り、大口入賞センサ４１，小口入賞センサ４３，アウト玉センサ４５が接続され、パチンコ球の入賞，アウト玉の数が検出される。また、玉貸機８３も接続され、玉貸請求信号が入力される。この玉貸請求信号は、硬貨，紙幣が玉貸機に投入された場合，あるいはプリペイドカード等が玉貸機に投入されて押ボタン等で払出の指示がなされた場合に、玉貸機から出力される信号である。更に、計数払出機７の多数個通過機構５０Ａ，５０Ｂ、少数個通過機構７０、シャッタ装置２３を作動させるシャッタ駆動機構８５が接続され、それぞれに駆動信号が与えられる。
【００２０】
次に、制御部８１によるパチンコ機１へのパチンコ玉供給制御について説明する。
本実施例のパチンコ機１へは、玉貸機８３から玉貸請求信号が発せられた場合，遊技中に入賞した場合，および貯留タンク２１の重量を調整する場合に、制御部８１が計数払出機７を制御してパチンコ玉供給制御を行う。
【００２１】
まず、玉貸機８３から玉貸請求信号が発せられた場合の処理について図５に基づいて説明する。
制御部８１は、玉貸機８３から玉貸請求信号が発せられたか否かをチェックする（Ｓ１０）。玉貸請求信号が出ている場合（Ｓ１０：ＹＥＳ）、その投入金額（カードの場合は、押ボタン等で指示された払出回数）に応じたパチンコ玉数を求め（Ｓ２０）、そのパチンコ玉数に応じて計数払出機７の多数個通過機構５０Ｂ、及び少数個通過機構７０にそれぞれ何回駆動信号を与えるかを決定する（Ｓ３０）。実施例では、多数個通過機構５０Ｂは駆動信号１パルスで５個の玉、少数個通過機構７０は駆動信号１パルスで１個の玉をそれぞれ払い出す構造なので、Ｓ２０で求めたパチンコ玉数を５で除算して商と剰余とを求め、その商が多数個通過機構５０Ｂに与えるパルス数となり、剰余が少数個通過機構７０に与えるパルス数となる。例えば、２５個の玉を払出す場合、多数個通過機構５０Ｂに与える駆動信号は５回、少数個通過機構７０に与える駆動信号は０回と決定される。こうして各パルス数が決定したら、多数個通過機構５０Ｂ、及び少数個通過機構７０のそれぞれに駆動信号を与える（Ｓ４０）。この結果、投入金額に応じた数のパチンコ玉が払い出される。なお、本実施例のパチンコ機１では、パチンコ機１の賞球排出口から直接上皿にパチンコ玉が払い出される。
【００２２】
次に、遊技中にパチンコ玉が入賞口に入った場合の処理について図６に基づいて説明する。
制御部８１は、大口入賞センサ４１，小口入賞センサ４３からの信号を入力して入賞の有無をチェックする（Ｓ１１０）。入賞があった場合（Ｓ１１０：ＹＥＳ）、大口入賞か小口入賞かの種別に応じて計数払出機７の多数個通過機構５０Ｂ、及び少数個通過機構７０にそれぞれ何回駆動信号を与えるかを決定する（Ｓ１２０）。実施例では、大口入賞の場合は１４個、小口入賞の場合は７個のパチンコ玉を払い出すように設定されている。したがって、大口入賞の場合は、多数個通過機構５０Ｂに与える駆動信号は２回、少数個通過機構７０には与える駆動信号は４回と決定される。また、小口入賞の場合は、多数個通過機構５０Ｂに与える駆動信号は１回、少数個通過機構７０に与える駆動信号は２回と決定される。こうして各パルス数が決定したら、多数個通過機構５０Ｂ、及び少数個通過機構７０のそれぞれに駆動信号を与える（Ｓ１３０）。この結果、入賞口の種類に応じた数のパチンコ玉が払い出される。
【００２３】
ところで、遊技中に連続入賞した場合などには、計数払出機７の作動が完了する前に次の払出要求が発生し、払い出すべき玉数が蓄積して増大する場合がある。この場合、入賞回数を記憶しておいて入賞回数分だけ上記処理を実行してもよいが、図７に示すような処理にするとアクチュエータの作動回数を減らすことができる。
【００２４】
まず、制御部８１は、大口入賞センサ４１，小口入賞センサ４３からの信号を入力して入賞の有無をチェックする（Ｓ２１０）。入賞があった場合（Ｓ２１０：ＹＥＳ）、まだ払出要求を処理していない玉数に、大口入賞か小口入賞かに応じた玉の数を加算して、この玉の数を新たにメモリに記憶する（Ｓ２２０）。次に、計数払出機７が作動中であるか否かをチェックする（Ｓ２３０）。作動中であれば（Ｓ２３０：ＹＥＳ）、まだ払出要求が出せないのでＳ２１０へ戻る。一方、作動が完了していれば（Ｓ２３０：ＮＯ）、計数払出機７の多数個通過機構５０Ｂ、及び少数個通過機構７０にそれぞれ何回駆動信号を与えるかを決定する（Ｓ２４０）。ここで、例えば、大口入賞が３回蓄積されていた場合、４２個の払い出しが必要なので、多数個通過機構５０Ｂに与える駆動信号は８回、少数個通過機構７０に与える駆動信号は２回と決定される。こうして各パルス数が決定したら、多数個通過機構５０Ｂ、及び少数個通過機構７０のそれぞれに駆動信号を与える（Ｓ２５０）。この結果、蓄積されていた数のパチンコ玉が払い出される。なお、Ｓ２１０において入賞が無い場合（Ｓ２１０：ＮＯ）、まだ払い出していない払出残しの玉があるか否かを調べ（Ｓ２６０）、残っていればＳ２３０へ進んで処理を続ける。
【００２５】
なお、大口入賞（１４個払出）が３回蓄積されていた場合の例で、１４個の払い出し動作を単に３回繰り返す処理にすると、多数個通過機構５０Ｂに与える駆動信号は６回、少数個通過機構７０には与える駆動信号は１２回となる。つまり、図７に示した処理によれば、多数個通過機構５０Ｂを２回多く作動させるだけで、少数個通過機構７０の作動回数を１０回分も減らせることになるのである。
【００２６】
以上説明したように、このパチンコ玉払出装置１０では、例えば、玉貸機からの玉貸請求，あるいは遊技中の入賞などによって、パチンコ玉を払い出す際に、その払い出すべき玉数に応じて多数個通過機構５０Ｂ，少数個通過機構７０の作動回数が組み合わせられ、多数個通過機構５０Ｂが１度に多数の払い出しを行うと共に、少数個通過機構７０が払出総数を適切な数に調整する。この結果、任意の数の払い出しができ、しかも払い出しが迅速に完了する。したがって、パチンコ機１を払出個数の設定が異なる別機種に交換する場合でも、プログラムの変更だけでパチンコ玉払出装置１０自体はそのまま利用できる。この結果、パチンコ機の交換作業時に、パチンコ玉払出装置まで交換する手間がかからなくなる。
【００２７】
また、種々のパチンコ機が配置されたパチンコ店においても、パチンコ玉払出装置は同じものに統一でき、管理者が何種類ものパチンコ玉払出装置の利用方法を理解していなくても済む。
更に、玉貸機からの指示によってパチンコ玉を払い出し可能なパチンコ機として構成する場合、このパチンコ玉払出機構１０ならば任意の個数が払い出せるので、種々の投入金額に対応でき、玉貸時用と入賞時用とでパチンコ玉払出装置を別々に設けなくてもよい。
【００２８】
更にまた、少数個通過機構７０が、多数個通過機構５０Ｂでは払い出せない端数分だけを払い出すようにしているので、多数個通過機構５０Ｂ，少数個通過機構７０の作動回数の合計が最も少なくなる。このように頻繁にアクチュエータが作動しなくなると、払出機構の寿命が延びる。
【００２９】
また、パチンコ機１での遊技中に払い出すべき玉数が蓄積した際に、その時の払出総数に応じて多数個通過機構５０Ｂ，少数個通過機構７０の作動回数を組み合わせる構成とした場合には、各払出機構の作動回数の合計がより一層少なくなる。したがって、より効率よく払出が行われて迅速になり、払出機構の寿命も一層延びることが期待される。
【００３０】
さて次に、貯留タンク２１の重量を調整する場合の処理について図８に基づいて説明する。この処理は、貯留タンク２１にパチンコ玉を導入することによりパチンコ機１の上部を重くし、逆に貯留タンク２１からパチンコ玉を放出することによりパチンコ機１の上部を軽くし、その重量バランスの変化によって、パチンコ機１の設置状態に微妙な変化を与えるためになされる。
【００３１】
制御部８１は、貯留タンク２１にパチンコ玉を供給すべき条件になったか否かをチェックする（Ｓ３１０）。この条件は種々考え得るが、実施例では、賞球が所定数量払い出された場合にパチンコ玉を供給する。このようにすると、「払出用のパチンコ玉を本体内に貯留するタイプのパチンコ機において賞球が所定数量払い出された場合に補給がなされる」ことを擬似的に再現できる。他の条件としては、特定の入賞口にパチンコ玉が入った場合、遊技開始から所定時間が経過した場合、アウト玉の数が所定数量を超えた場合等を挙げることができる。次に、Ｓ３１０において供給条件が満たされていた場合（Ｓ３１０：ＹＥＳ）、計数払出機７の多数個通過機構５０Ａに駆動信号を与える（Ｓ３２０）。実施例では、１回につき１００〜５００個の玉を貯留タンク２１に供給する。これは、例えば、まとめて４００個とか５００個を供給する方法でも良く、タイミングを段階的に分けて１００個ずつ増量してゆく方法でもよい。この結果、パチンコ機１の上部が重くなり、傾きなどの設置状態が微妙に変化する。また、パチンコ玉の補給される音が発生することにもなる。さて一方、Ｓ３１０において供給条件が満たされていない場合（Ｓ３１０：ＮＯ）、貯留タンク２１のパチンコ玉を放出すべき条件になったか否かをチェックする（Ｓ３３０）。この条件についても種々考え得るが、実施例では、アウト玉センサ４５によってカウントされるアウト玉の数が、所定数量を超えた場合にパチンコ玉を放出する。これは、パチンコ機１がある程度の時間継続して使用された場合に、ゲームの流れに変化を与えるためである。他の条件としては、賞球の払出タイミングに合わせる場合、遊技終了から所定時間が経過した場合等を挙げることができる。放出条件が満たされていた場合（Ｓ３３０：ＹＥＳ）、シャッタ駆動機構８５に駆動信号を与える（Ｓ３４０）。この結果、シャッタ装置２３が作動してパチンコ玉が放出され、パチンコ機１の上部が軽くなって、傾きなどの設置状態が微妙に変化する。なお、実施例では、貯留タンク２１内のパチンコ玉が全部放出される。これは、タイミングを分けて段階的に放出するようにしてもよい。
【００３２】
以上説明したように、このパチンコ機１によれば、貯留タンク２１に玉を出し入れして、パチンコ機１本体にかかる荷重のバランスを変化させることができる。このため、パチンコ機１に微妙な傾きなどが生じ、パチンコ玉の流れに変化が与えられる。この結果、パチンコ玉の払出機構を外部に設けても、ゲームの流れに変化が現れるパチンコ機となる。
【００３３】
また、パチンコ玉を使ってバランス変更を行っているので、パチンコ機１の内部にバランス変更専用の重量物等を特に設けなくても良く、しかも、従来のパチンコ機ようにパチンコ玉が補給される音も発生する。したがって、従来のパチンコ機特有の雰囲気を再現でき、遊技者が出玉状況の変化を期待するなどといったパチンコ機特有の楽しみ方もまったく失われない。
【００３４】
更に、このパチンコ機１では、貯留タンク２１をパチンコ機１の上部に配設したので、少しの重量変化でもパチンコ機が傾きやすく、玉の流れへの影響が顕著に現れる。
以上本発明の実施例を説明したが、本発明はこれに限定されず、本発明の要旨を逸脱しない範囲内の種々なる態様を採用することができる。
【００３５】
【発明の効果】
以上の如く本発明のパチンコ機によれば、パチンコ機本体にかかる荷重のバランスを変化させて、パチンコ機に微妙な傾きなどを生じさせ、パチンコ玉の流れに変化を与えることができる。この結果、パチンコ玉の払出機構を外部に設けても、ゲームの流れに変化が現れるパチンコ機となる。
【００３６】
特に、請求項２に記載のパチンコ機によれば、パチンコ玉を使ってバランス変更ができるので、専用の重量物等を特に設けなくても良い上に、従来のようにパチンコ玉が補給される音も発生するため、遊技者が出玉状況の変化を期待するなどといったパチンコ機特有の楽しみ方もまったく失われない。
【図面の簡単な説明】
【図１】  実施例のパチンコ機を背面側から見た構造図である。
【図２】  実施例のパチンコ機が備える多数個通過機構の構造図である。
【図３】  実施例のパチンコ機が備える少数個通過機構の構造図である。
【図４】  実施例のパチンコ機の制御部を示すブロック図である。
【図５】  玉貸処理を示すフローチャートである。
【図６】  賞球払出処理を示すフローチャートである。
【図７】  別の賞球払出処理を示すフローチャートである。
【図８】  バランス変更処理を示すフローチャートである。
【符号の説明】
１・・・パチンコ機、３・・・玉補給用樋、５・・・玉補給分離器、７・・・計数払出機、１０・・・パチンコ玉払出装置、１１，１３，１５・・・第１，第２，第３のパチンコ玉供給通路、２１・・・貯留タンク、２３・・・シャッタ装置、２５・・・回収通路、３１・・・ホッパー、３３・・・払出通路、４１・・・大口入賞センサ、４３・・・小口入賞センサ、４５・・・アウト玉センサ、５０・・・多数個通過機構、５１・・・通過規制部材、５１ａ，５１ｂ・・・爪、５１ｃ・・・支点、５３・・・ソレノイド、７０・・・少数個通過機構、７１・・・スプロケット、７１ａ・・・歯、８１・・・制御部、８３・・・玉貸機、８５・・・シャッタ駆動機構。
【図１】
0003704722.tif 000002
【図２】
0003704722.tif 000003
【図３】
0003704722.tif 000004
【図４】
0003704722.tif 000005
【図５】
0003704722.tif 000006
【図６】
0003704722.tif 000007
【図７】
0003704722.tif 000008
【図８】
0003704722.tif 000009